(57)【要約】  【課題】    圧力タンク内に水と圧縮空気が封入された状態で、圧力タンクに設けられた噴射口と発射装置の発射口とを係合解除することで、圧縮空気の圧力で水を前記噴射口から噴射し、水噴射の反作用で飛翔する水噴射式飛翔玩具の発射装置において、係合解除を行なうための遠隔操作装置を改良し、低コストでかつ安全性の高い水噴射式飛翔玩具の発射装置を提供することを目的とする。  【解決手段】    発射口９に設けられたスライド装置１７を移動させることにより噴射口２と発射口９とを係合解除する構成とし、スライド装置１７に、遠隔操作装置７０の操作線１８を保持する保持手段７８を設けた。【選択図】        図２
2009287879.tif 000002
【特許請求の範囲】
【請求項１】
圧力タンクと、前記圧力タンクの後端に設けた噴射口と、
前記噴射口と連結される発射口を備えた発射台と、
前記噴射口と前記発射口とが連結された状態で前記圧力タンク内に圧縮空気を封入可能な空気圧入口とを有し、
前記圧力タンク内に水と圧縮空気が封入された状態で前記噴射口と前記発射口とを係合解除することで、圧縮空気の圧力で水を前記噴射口から噴射し、水噴射の反作用で飛翔する水噴射式飛翔玩具の発射装置において、
前記発射口は受口を有して構成され、前記噴射口はこの受口内に差し込まれる差口を有して構成され、発射口には、発射口の受口内に噴射口の差口を差し込んだとき、差口の係合部に係合して差口の抜け出しを阻止する抜止部材と、進退自在に取り付けられた摺動部材とを備え、この摺動部材を移動させることにより、上記抜止部材と差口との係合を解除するものとし、
前記発射装置が、前記噴射口と前記発射口とを遠隔操作によって係合解除可能な遠隔操作装置を有し、
前記遠隔操作装置が、少なくとも、
軸方向に移動することで摺動部材を連動して移動させる操作線と、
操作線を軸方向に移動させる遠隔操作部とからなり、
前記摺動部材に、前記操作線を保持する保持手段を設けた
ことを特徴とする水噴射式飛翔玩具の発射装置。
【請求項２】
前記遠隔操作装置が、前記操作線の動きに前記摺動部材を連動させる連動装置を有し、前記連動装置に前記操作線を保持する保持手段を設けたことを特徴とする、請求項１記載の水噴射式飛翔玩具の発射装置。
【請求項３】
前記保持手段が、前記摺動部材または前記連動装置に係止され前記操作線を押圧する押圧部材によって構成される、請求項１又は２記載の水噴射式飛翔玩具の発射装置。
【請求項４】
前記保持手段が、前記押圧部材と、前記摺動部材または前記連動装置に設けた段差部とによって構成される、請求項１乃至３記載の水噴射式飛翔玩具の発射装置。
【請求項５】
前記遠隔操作部が、本体と、本体に対して嵌入した状態で、本体内部に対してさらに回動嵌入可能な握り部と、本体側に設けられた操作部ストッパとからなり、握り部の握り動作によって前記噴射口と前記発射口とを係合解除可能な遠隔操作装置であって、
該操作部ストッパが、本体に設けた収納部に収納されて握り部の握り操作を可能とする第１の状態と、握り部に設けた係止部に係止されて握り部の握り操作を不能とする第２の状態とをとる、請求項１乃至４記載の水噴射式飛翔玩具の発射装置。
【発明の詳細な説明】
【技術分野】
【０００１】
本発明は、圧力タンクとこの圧力タンクの後端に取り付けられた噴射口とを備え、圧力タンク内に水と圧縮空気を封入し、圧縮空気の圧力で水を噴射口から噴射し、水噴射の反作用で飛翔する水噴射式飛翔玩具の発射装置に関する。
【背景技術】
【０００２】
上述した水噴射式飛翔玩具としてペットボトルロケットと称されるものがある。
このペットボトルロケットは、「日本ペットボトルクラフト協会」の提唱による飛翔玩具であり、従来のペットボトルロケットの例としては、登録実用新案第３０３１９８９号に示されているものがある。
【０００３】
なお、図１５に示すように、ペットボトルロケット３は、炭酸飲料水収納用のペットボトルを圧力タンク１とし、水が噴射する連通孔とペットボトルの口に形成された雄ねじに嵌合する雌ねじ部とを形成した噴射口２を上記圧力タンク１としたペットボトルの口に取り付けることによって構成される。また、それらに加えて、圧力タンク１の先端側にペットボトルを加工して作成した延長ボディ１０１を取付けたり、更にその先端に柔らかい部材で構成したノーズコーン１０２を取り付けたり、圧力タンク１の下部にペットボトルを加工して作成したスカート１０３を取り付けこのスカートに安定板１０４を取り付けたりするなど、種々の付加構造を設けることが可能である。なお、これら１０１乃至１０４の取り付けは、ステープル、ビニールテープ、両面テープ等を適宜用いて行なう。
【０００４】
そして、ペットボトルロケット３を発射するには発射台を使用する。
図１２に示すように、発射台４は、発射台本体５と、この発射台本体５の下部に放射上に取り付けられた３本の脚部６と、発射台本体の上部に角度可変に取り付けられた発射ベース７と、発射ベース７に取り付けられた発射口９と、発射操作を行なう遠隔操作装置１０とからなる。
【０００５】
発射口９は、図１３、図１４に示すように、上記ペットボトルロケット３の噴射口２を取り付け係止して噴射口２を閉塞して取り付ける係合状態と、噴射口２の係合を解除して、噴射口２を開放し、水の噴射を可能な係合解除状態に設定できる他、上記係合状態で噴射口２を介して上記圧力タンク１内に空気を圧入する空気圧入口８を備えたものである。なお、空気圧入口８は、自転車のタイヤ用空気バルブなどが利用される。
【０００６】
遠隔操作装置１０は、操作ハンドル１６と、上記摺動部材１５に接続され上記摺動部材１５を発射ベース７に対して摺動させるスライド装置１７と、上記操作ハンドル１６及びスライド装置１７の間を接続し、上記操作ハンドル１６の動作を上記スライド装置１７に伝達する操作ワイヤ１８とから構成される。
【０００７】
操作ハンドル１６は、グリップ部６１とこのグリップ部６１に軸支されたレバー６２とからなる。なお、符号６７は誤操作防止用のハンドルストッパであり、ハンドルストッパ６７を、レバー６２に当接させることにより、レバー６２の握りこみを不能とし、誤操作を防止する。
【０００８】
操作ワイヤ１８は、ワイヤ６４と被覆部材６５からなり、被覆部材６５の一端は上記グリップ部に、他端は上記発射ベース７に接続されている。又、ワイヤ６４の一端は上記操作ハンドル１６のレバー６２に接続され、他端は上記スライド装置１７に延設されワイヤストッパ部材６３が固定されている。
スライド装置１７は上記摺動部材１５を取り巻いて取り付けられた環状の部材で、上記操作ワイヤ１８のワイヤ６４が挿入された先端のワイヤストッパ６３が係止されるワイヤ係止部６６が設けられる。
【０００９】
この遠隔操作装置１０によれば、操作ハンドル１６のレバー６２をグリップ側に引くと、ワイヤ６４が引っ張られ、スライド部材１７が発射ベース７側にスライドさせる。これにより、スライド部材１７と共に発射口９の摺動部材１５が移動して発射口９と噴射口２の係合を解除して係合解除状態とし、ペットボトルロケット３が発射される。
【００１０】
従って、本実施の形態にかかる水噴射式飛翔玩具の発射台によれば、発射台の発射口を遠隔操作装置で係合解除状態とできるので水噴射式飛翔玩具が噴射する水がかからない場所から発射操作を行なうことができる。
【００１１】
なお、上記従来例に係る発射台４を用いてペットボトルロケット３を発射するには、まず、発射台本体５に脚部６を取り付けて、発射台を組み立てる。
そして、ペットボトルロケット３の圧力タンク１内に噴射口２から適量の水を入れる。
【００１２】
次に、ペットボトルロケット３の噴射口２の差口１２を、発射台４の発射口９の受口１１に挿入して接続し係合状態とする。そして、発射ベース５の角度を発射角度に調整する。この場合、まず締結手段の蝶ナット３９をゆるめて、発射台本体５に設けた凹凸部２１の適切な位置に発射ベース７に設けた嵌合部２２を嵌合させて角度を設定する。角度を設定したら締結手段の蝶ナット３９を締めて発射ベースの角度を固定する。
【００１３】
そして、自転車用空気入れで発射口９の空気バルブ８から空気をペットボトルロケットの圧力タンク内に圧入する。
【００１４】
その後、発射台４から離れ、ペットボトルロケット３からの噴射水がかからない個所で遠隔操作装置１０の操作ハンドル１６のレバー６２を操作し、発射口９を係合解除状態として接続を解除して、ペットボトルロケット３を発射する。
【００１５】
【特許文献１】登録実用新案第３０３１９８９号
【００１６】
〔問題点〕
ところで、上述した従来の水噴射式飛翔玩具の発射台４にあっては、発射台と遠隔操作装置１０のワイヤ６４とを連結するために、ワイヤ６４をワイヤストッパ６３に挿入して係止し、ワイヤストッパ６３をワイヤ係止部６６に係止するという態様を取っている。
このため、ワイヤ係止構造が複雑化し、コスト高となっていた。
また、ワイヤ６４をワイヤストッパ６３に係止する際には、ワイヤストッパ６３に設けたねじ孔にネジを挿入してワイヤ６４をネジ止めする等していたが、ワイヤストッパ６３が小さな別部材であったため、ネジ止め等を行う際に、ワイヤストッパ６３を手に持ってワイヤストッパ６３のねじ孔にネジを挿入する等の作業が行い難く、ペットボトルロケット発射装置を組み立てる際の組立性に問題があった。
【００１７】
さらに、操作ハンドル１６は、グリップ部６１とこのグリップ部６１に軸支されたレバー６２とからなり、誤操作防止用のハンドルストッパ６７を設けているが、ハンドルストッパ６７はレバー６２に当接しているのみであるためハンドルストッパ６７が外れやすく、係止が外れた場合、意図せずペットボトルロケット３が発射されてしまったり、グリップ部６１とレバー６２との隙間に指などが挟まれてしまう可能性があった。
【発明の開示】
【発明が解決しようとする課題】
【００１８】
本発明は、従来の技術における前記問題点を解消するためのものであり、そのための課題は、低コストでかつ安全性の高い水噴射式飛翔玩具の発射装置を提供することを目的とする。
【課題を解決するための手段】
【００１９】
本発明における前記課題が効果的に解決される水噴射式飛翔玩具の発射装置を特定するために、必要と認める事項の全てが網羅され、具体的に構成された、課題解決手段を以下に示す。
【００２０】
本発明の請求項１に係る水噴射式飛翔玩具の発射台は、圧力タンクと、前記圧力タンクの後端に設けた噴射口と、前記噴射口と連結される発射口を備えた発射台と、前記噴射口と前記発射口とが連結された状態で前記圧力タンク内に圧縮空気を封入可能な空気圧入口とを有し、前記圧力タンク内に水と圧縮空気が封入された状態で前記噴射口と前記発射口とを係合解除することで、圧縮空気の圧力で水を前記噴射口から噴射し、水噴射の反作用で飛翔する水噴射式飛翔玩具の発射装置において、前記発射口は受口を有して構成され、前記噴射口はこの受口内に差し込まれる差口を有して構成され、発射口には、発射口の受口内に噴射口の差口を差し込んだとき、差口の係合部に係合して差口の抜け出しを阻止する抜止部材と、進退自在に取り付けられた摺動部材とを備え、この摺動部材を移動させることにより、上記抜止部材と差口との係合を解除するものとし、前記発射装置が、前記噴射口と前記発射口とを遠隔操作によって係合解除可能な遠隔操作装置を有し、前記遠隔操作装置が、少なくとも、軸方向に移動することで摺動部材を連動して移動させる操作線と、操作線を軸方向に移動させる遠隔操作部からなり、前記摺動部材に、前記操作線を保持する保持手段を設けたことを特徴とする。
【００２１】
また、本発明の請求項２に係る発明は、請求項１にかかる水噴射式飛翔玩具の発射台において、前記遠隔操作装置が、前記操作線の動きに前記摺動部材を連動させる連動装置を有し、前記連動装置に前記操作線を保持する保持手段を設ける構成とすることを特徴とする。
【００２２】
また、本発明の請求項３では、請求項１または２にかかる水噴射式飛翔玩具の発射台において、前記保持手段を、前記摺動部材または前記連動装置に係止され前記操作線を押圧する押圧部材によって構成することを特徴とする。
【００２３】
さらに、本発明の請求項４にかかる発明では、請求項１乃至３にかかる水噴射式飛翔玩具の発射台において、前記保持手段を、前記押圧部材と、前記摺動部材または前記連動装置に設けた段差部とによって構成することを特徴とする。
【００２４】
加えて、本発明の請求項５にかかる発明では、請求項１乃至４にかかる水噴射式飛翔玩具の発射台において、前記遠隔操作部が、本体と、本体に対して嵌入した状態で、本体内部に対してさらに回動嵌入可能な握り部と、本体側に設けられた操作部ストッパとからなり、握り部の握り動作によって前記噴射口と前記発射口とを係合解除可能な遠隔操作装置であって、
該操作部ストッパが、本体に設けた収納部に収納されて握り部の握り操作を可能とする第１の状態と、握り部に設けた係止部に係止されて握り部の握り操作を不能とする第２の状態とをとる構成とすることを特徴とする。
【発明の効果】
【００２５】
上記請求項１の構成によれば、摺動部材に、操作線を保持する保持手段を設けたため、摺動部材と操作線との連動に要する構成を簡素化し、組立性を向上させた水噴射式飛翔玩具の発射台を提供することができる。
【００２６】
上記請求項２の構成によれば、遠隔操作装置および連動装置を付加するのみで、摺動部材と操作線との連動に要する構成を簡素化しつつ、既存の、遠隔操作装置を有しない水噴射式飛翔玩具に対して、遠隔操作機能を付加することが容易となる。
【００２７】
上記請求項３または４の構成によれば、操作線と摺動部材とを効果的に保持し、より安全性の高い水噴射式飛翔玩具の発射台を提供することができる。
【００２８】
上記請求項５の構成によれば、操作部ストッパが、握り部に設けた係止部にしっかりと係止されて遠隔操作部の誤操作を防止するため、操作部ストッパの係止が外れる心配が無い。また、万が一操作部ストッパの係止が外れたとしても、遠隔操作部の握り部が、常に本体内部に嵌入しているので、本体と握り部との間に隙間が生じる可能性が無く、指や小石などの異物が挟まれる心配が無い。
【発明を実施するための最良の形態】
【００２９】
以下本発明に係る水噴射式飛翔玩具の発射台の実施の形態を図面に基づいて説明する。なお、本発明に係る水噴射式飛翔玩具の発射台のうち、遠隔操作装置を除いては従来例と同一の構造を採用可能であり、従来例と同一の構成要素については従来例と同一符号を用いて説明する。
【００３０】
図１乃至図１１は、本実施の形態に係る水噴射式飛翔玩具の発射台の例を示すものである。
この例において、水噴射式飛翔玩具であるペットボトルロケット３の構造は従来例で示したものと同様である。
【００３１】
図１に示すように、本例に係る発射台４は、発射台本体５と、この発射台本体５の下部に放射上に取り付けられた３本の脚部６と、発射台本体の上部に角度可変に取り付けられた発射ベース７と、発射ベース７に取り付けられた発射口９と、発射操作を行なう遠隔操作装置７０とからなる。
【００３２】
図２に示すように、発射台本体５は、合成樹脂で薄肉に一体成型されており、底部３１と底部３１の一端から円弧状に上方に立ち上がる立上部３２とからなる。底部３１は、外側の三方から放射状に上記脚部６の取付部３３を設けている。この取付部３３の上面には脚固定用の係合爪３４を形成している。
【００３３】
立上部３２の内側には、図２及び図３に示すように、上記発射ベース７を取付けるため２列のリブ３５を設けている。このリブ３５には、発射ベース軸支用の孔３６と、この孔３６を中心とする円弧上に列をもって設けた断面が連続した山型の凹凸部２１と、発射ベース７固定用のボルト３８が貫通する円弧状の長孔３７とを設けている。又、立上部３２の上端には上記発射ベース７配置用の切欠き部を形成している。尚図３中符号３９はこのボルト３８に螺合する蝶ナットであり、このボルト３８と蝶ナット３９とで、締結手段２４を構成する。
【００３４】
脚部６は、合成樹脂で薄肉に一体成型され補強用のリブが適宜配置されており、上記発射装置本体５の取付部３３が挿入される孔部４１と、上記取付部の係合爪３４が係合する係合孔部４２とが形成され、発射台本体５に取り付け取り外しできる。
【００３５】
発射ベース７は、合成樹脂で成型され、板部材４４及び板部材４４の両端に上記発射ベースのリブ３５の内側に接する立上板部４５を形成した取付べース部４６と、この取付ベース部４６に上記発射口９を取付ベース部４６に取付けることにより取り付けられるランチャ部４７とからなる。ランチャ部４７は、合成樹脂で全体Ｌ字状に形成され、図１に示すように発射台にペットボトルロケット３が取り付けられたとき、ペットボトルロケット３の下側側面に接触して、ペットボトルロケットを支持する。
【００３６】
上記取付ベース部４６の２つの立上板部４５には、それぞれ上記発射台本体４のリブ３５に開設された孔３６に挿入される軸１９と、上記リブ３５に設けられた凹凸部２１に嵌合する嵌合部２２と、上記ボルトが貫通する孔部４８と、ボルトの頭が保持されるボルト保持部４９とが形成される。上記嵌合部２２は、上記凹凸部２１のいずれかの位置の凹部に嵌合して、上記発射台本体５に対する発射ベース７の角度位置を位置決めする位置決め手段２３を構成する。
この位置決め手段２３と上記締結手段２４とで固定手段２０を構成している。
【００３７】
発射ベース７には発射口９を取り付けている。
図２に示すとおり、発射口９は、上記水噴射式飛翔玩具３の噴射口２を取り付け係止して噴射口２を閉塞して取り付ける係合状態と、噴射口２の係合を解除して、噴射口２を開放し、水の噴射を可能な係合解除状態に設定できる他、上記係合状態で噴射口２を介して上記圧力タンク１内に空気を圧入する空気圧入口８を備えたものである。
【００３８】
発射口９の構造を図３に示す。この発射口９は、ワンタッチ接続式のホース継手の受口側部材に空気圧入口８として自転車のタイヤ用の空気注入バルブを取付けて構成している
【００３９】
発射口９は受口１１を有しており、受口１１には、この受口１１内に噴射口２の差口１２を差し込んだとき、差口１２の係合部１３に係合して差口１２の抜け出しを阻止する抜止部材１４を有しており、この抜止部材１４は、受口の外側に進退自在に取り付けられた摺動部材１５に接触している。
【００４０】
この抜止部材は、図３に示すように通常受口に先端を出す爪部材５１であり、この爪部材５１は、噴射口２の受口１２の挿入時には弾性的に変形し、受口１２を射し込めるものとなり、噴射口２が発射口９に完全に差し込まれた状態で、係合部１３に引っ掛かり、噴射口２が噴射口９から外れない係合状態となる。
【００４１】
発射口９を構成する外側部材である環状の摺動部材１５は上記スプリング５２で常時噴射口側（図３中矢印Ｃの方向）に付勢され、爪部材５１が上記係合部１３に係合された状態を保ち、ペットボトルロケット３の噴射口２を取り付け係止して噴射口２を閉塞して取り付ける係合状態に保つ。
【００４２】
この摺動部材１５を遠隔操作装置７０を用いて、付勢方向と反対の方向に移動させると、爪部材５１は外側に向け開いて係合部１３との係合が解除され、噴射口２の係合を解除して係合解除状態となり、噴射口２を開放し、ペットボトルロケット３は噴射口２から水を噴射して発射される。
【００４３】
発射口９は、発射口９を構成する端部部材５３を上記発射ベース７を挟んで発射口９の本体にねじ込むことにより、発射ベース７に取付ける。
【００４４】
空気圧入口８は、自転車のタイヤ用空気バルブであり、図３に示すように５つの部材から構成される。図３において、５５はバルブ本体、５６は六角ナット、５７は虫ゴム、５８はプランジャ、５９は袋ナットを示している。空気圧入口８が発射口９に組み込まれることにより、発射口９の後端は密閉され、空気圧入口８から空気を噴射口２側に圧入可能となる。
【００４５】
図４に示すように、遠隔操作装置７０は、グリップ本体７１、握り部７２からなる遠隔操作部７３と、上記摺動部材１５に接続され上記摺動部材１５を発射ベース７に対して摺動させる連動装置７４と、上記遠隔操作部７３及び上記連動装置７４の間を接続し、上記操作遠隔操作部７３の動作を上記連動装置７４に伝達する操作ワイヤ１８とから構成される。
【００４６】
図２および図４に示すように、操作ワイヤ１８は、ワイヤ６４と被覆部材６５からなり、被覆部材６５の一端は上記グリップ本体７１に、他端は上記発射ベース７に接続されている。又、ワイヤ６４の一端は上記遠隔操作部７３の握り部７２に接続され、他端は上記連動装置７４のワイヤ保持部７５に挿入され、後述する保持手段７８によって保持されている。
【００４７】
図５および図６に示すように、連動装置７４は、上記摺動部材１５を取り巻いて取り付けられた環状の部材で、摺動部材１５に対して引っかかる連動部７５が形成されている。
【００４８】
また、連動装置７４には、操作ワイヤ１８のワイヤ６４が保持される、孔形状のワイヤ保持部７６と、ねじ孔７７が形成され、押圧部材７８ａが挿入されている。また、ワイヤ保持部７５の発射ベース７側の端部には、段差部７８ｂが形成されている。
【００４９】
保持手段７８は、上記７８ａと７８ｂからなり、その保持作用は以下のとおりである。
ワイヤ保持部７５にワイヤ６４を挿入した状態で、ねじ孔７６に押圧部材７８ａを挿入することで、押圧部材７８がワイヤ６４を押圧し、図６に示すように、ワイヤ保持部７５の内壁に押し当てる。押圧部材７８ａによって押圧される押圧作用による保持に加え、変形したワイヤが、段差部７８ｂに引っかけられることにより保持され、二重に保持されている。
【００５０】
このため、連動装置７４が発射ベース７側、すなわち図３における矢印Ｃの方向とは反対側に軸方向移動すると、連動装置７４の軸方向移動に連動して、摺動部材１５が前記スプリング５２の付勢力に抗して軸方向移動することになる。
【００５１】
図７および図８に示すように、遠隔操作部７３のグリップ本体７１には、グリップ孔７１ａが設けられており、握り部７２に設けられた握り回動軸７２ａが前記グリップ孔７１ａに係止され、握り部７２が握り回動軸７２ａを中心に回動可能となっている。
【００５２】
また、図９に示すように、握り部７２の側面部７２ｂは常にグリップ本体７１側に嵌入しており、グリップ本体７１と握り部７２との間には指や小石などの異物がはさまれる隙間が生じないようになっている。
【００５３】
さらに、遠隔操作部７３には、操作部ストッパ７９が設けられている。操作部ストッパ７９にはストッパ回動軸７９ａが設けられており、グリップ本体７１に設けたストッパ孔７１ｂに係止され、図８に示すとおり、操作部ストッパ７９はストッパ回動軸７９ａを中心に回動可能となっている。
【００５４】
また、図８乃至図１１に示すように、操作部ストッパ７９には、グリップ本体側係止部７９ｂと、握り部側係止部７９ｃと、鍔７９ｄが形成されている。グリップ本体７１には収納部７１ｃが、握り部７２には係止凹部７２ｃが形成されており、操作部ストッパ７９は、グリップ本体側係止部７９ｂが収納部７１ｃに押し込まれて握り部７２が回動可能となる収納状態（第一の状態）と、握り部側係止部７９ｃが係止凹部７２ｃに押し込まれて握り部７２が回動不能となる係止状態（第二の状態）とを取ることができる。
【００５５】
このため、遠隔操作部７３の操作時は、操作部ストッパ７９をグリップ本体側の収納部７１ｃに収納しておき、遠隔操作部７３の握り操作を不能としておきたいときは、鍔７９ｄを持って操作部ストッパ７９を持ち上げ、握り部側の係止凹部７２ｃに係止することで、遠隔操作部７３の誤操作を防止することができる。
【００５６】
このため、本発明にかかる遠隔操作装置７０によれば、握り部７２を握ると、握り部７２が回動してグリップ本体７１側に押し込まれるとともに、握り部７２に接続されたワイヤ６４が図３中のＣ方向とは反対側に軸方向移動し、ワイヤ６４の他端が接続されている連動装置７４および摺動部材１５が同方向に軸方向移動することとなる。これにより、発射口９と噴射口２の係合を解除して係合解除状態とし、ペットボトルロケット３が発射される。
【００５７】
なお、本例に係る発射台４を用いてペットボトルロケット３を発射する際の手順は、以下のとおりである。
【００５８】
まず、発射台本体５に脚部６を取付発射台を組み立てる。
そして、ペットボトルロケット３の圧力タンク１内に噴射口２から適量の水を入れる。
【００５９】
次に、ペットボトルロケット３の噴射口２の差口１２を、発射台４の発射口９の受口１１に挿入して接続し係合状態とする。そして、発射ベース５の角度を発射角度に調整する。この場合、まず締結手段の蝶ナット３９をゆるめて、発射台本体５に設けた凹凸部２１の適切な位置に発射ベース７に設けた嵌合部２２を嵌合させて角度を設定する。角度を設定したら締結手段の蝶ナット３９を締めて発射ベースの角度を固定する。
【００６０】
そして、自転車用空気入で発射口９の空気バルブ８から空気をペットボトルロケットの圧力タンク内に圧入する。その際、操作部ストッパ７９を係止状態としておき、遠隔操作部７２の誤操作を防止しておくことが望ましい。
【００６１】
その後、発射台４から離れ、ペットボトルロケット３からの噴射水がかからない個所で遠隔操作装置７０の操作部ストッパ７９の係止状態を解除し、握り部７２を操作し、発射口９を係合解除状態として接続を解除して、ペットボトルロケット３を発射する。
【００６２】
〔別態様〕
上記実施例では、連動装置７４を、発射口９の摺動部材１５とは別体で構成し、連動装置７４を介して摺動部材１５を摺動させる構成としたが、摺動部材１５に直接ワイヤ６４を接続して、ワイヤ６４の軸方向移動による操作力を、摺動部材１５に直接伝えることも可能である。
【００６３】
〔別態様２〕
また上記実施例では、保持手段７８として押圧部材７８ａと段差部７８ｂとを併用する構成としたが、操作線の保持手段としては、他に、連動装置７４のワイヤ保持部７５の表面形状を、摩擦係数の高い形状とすることとしたり、摩擦係数の大きな素材を用いたりしてもよい。また、ワイヤ保持部７５に段差部などの特殊な形状を設けず、単に押圧部材７８ａの押圧力のみによってワイヤ６４の保持を行なうこととしてもよい。また、上記実施例では、ワイヤ保持部７５を孔形状としてねじ孔７６を設け、上部から押圧部材を押し当てる形式によってワイヤ６４を保持しているが、ワイヤ保持部７５の形状としては、例えば、ワイヤ保持部７５を孔形状とはせず、ワイヤ保持部７５にワイヤ６４を配置した後周囲からリング状部材等で締結したり、スナップフィット部材などを差し込んで固定することも可能である。
【図面の簡単な説明】
【００６４】
【図１】本発明の実施の形態に係る水噴射式飛翔玩具の発射台を示す斜視図である。
【図２】図１に示した水噴射式飛翔玩具の発射台の側面図である。
【図３】図２に示した発射台のＡ―Ａ断面図である。
【図４】図１に示した水噴射式飛翔玩具の発射口の部品図である。
【図５】図４に示した発射口の中央断面図である。
【図６】図５の一部拡大断面図である。
【図７】図１に示した水噴射式飛翔玩具の遠隔操作部の分解図である。
【図８】図７に示した遠隔操作部を組み立てた図である。
【図９】図８に示した遠隔操作部の中央断面図である。
【図１０】遠隔操作部の握り操作を可能とした状態の図である。
【図１１】遠隔操作部の握り操作を不能とした状態の図である。
【図１２】従来の水噴射式飛翔玩具の発射台の構成を水噴射式飛翔玩具の構成と共に示す斜視図である。
【図１３】従来の水噴射式飛翔玩具の発射台の平面図である。
【図１４】図１３中のＢ−Ｂ線に沿う拡大断面図である。
【図１５】水噴射式飛翔玩具において使用されるペットボトルロケットの正面図である。
【符号の説明】
【００６５】
１ 圧力タンク
１０１ 延長ボディ
１０２ ノーズコーン
１０３ スカート
１０４ 安定板
２ 噴射口
３ ペットボトルロケット
４ 発射台
５ 発射台本体
６ 脚部
７ 発射ベース
８ 空気圧入口
９ 発射口
１０ 遠隔操作装置
１１ 受口
１２ 差口
１３ 係合部
１４ 抜止部材
１５ 摺動部材
１６ 操作ハンドル
１７ スライド装置
１８ 操作ワイヤ
１９ 軸
２０ 固定手段
２１ 凹凸部
２２ 嵌合部
２３ 位置決め手段
２４ 締結手段
３１ 底部
３２ 立上部
３３ 取付部
３４ 係合爪
３５ リブ
３６ 孔
３７ 凹凸部
３８ ボルト
３９ 蝶ナット
４１ 孔部
４２ 係合孔部
４４ 板部材
４５ 立上板部
４６ 取付ベース部
４７ ランチャ部
５１ 爪部材
５２ スプリング
５５ バルブ本体
５６ 六角ナット
５７ 虫ゴム
５８ プランジャ
５９ 袋ナット
６１ グリップ部
６２ レバー
６３ ワイヤストッパ
６４ ワイヤ
６５ 被覆部材
６６ ワイヤ係止部
６７ ハンドルストッパ
７０ 遠隔操作装置
７１ グリップ本体
７１ａ グリップ孔
７１ｂ ストッパ孔
７１ｃ 収納部
７２ 握り部
７２ａ 握り回動軸
７２ｂ 側面部
７２ｃ 係止凹部
７３ 遠隔操作部
７４ 連動装置
７５ 連動部
７６ ワイヤ保持部
７７ ねじ孔
７８ 保持手段
７８ａ 押圧部材
７８ｂ 段差部
７９ 操作部ストッパ
７９ａ ストッパ回動軸
７９ｂ グリップ本体側係止部
７９ｃ 握り部側係止部
７９ｄ 鍔
【図１】
2009287879.tif 000003
【図２】
2009287879.tif 000004
【図３】
2009287879.tif 000005
【図４】
2009287879.tif 000006
【図５】
2009287879.tif 000007
【図６】
2009287879.tif 000008
【図７】
2009287879.tif 000009
【図８】
2009287879.tif 000010
【図９】
2009287879.tif 000011
【図１０】
2009287879.tif 000012
【図１１】
2009287879.tif 000013
【図１２】
2009287879.tif 000014
【図１３】
2009287879.tif 000015
【図１４】
2009287879.tif 000016
【図１５】
2009287879.tif 000017